(57)【要約】【課題】複数の無線ネットワークを介して受信されるそれぞれのデータの状態に応じて、最良な通信が可能な無線ネットワークに接続可能な電子装置および無線ネットワークシステムを提供することを目的とする。【解決手段】複数の無線ネットワークに接続可能なコードレス電話機の子機３は、複数の無線ネットワークに接続された親機と直接またはリピータを介して通信する通信制御部２３と、それぞれ受信したデータのエラーを検出する検出手段と、それぞれ受信したデータから採用するデータを選択する音声データ選択部２５とを備え、検出手段は、同期相関器１７と、受信パケット解析部１８と、音声パケット処理部２０と、データパケット処理部２１と、エラー計数処理部１９とエラー比較処理部２８と、ローミング起動設定部２９と、通信切断設定部３０とで構成される。【選択図】図２
2005167460.tif 000002
【特許請求の範囲】
【請求項１】
複数の無線ネットワークに接続可能な電子装置において、
前記複数の無線ネットワークに接続された他の電子装置と直接または中継装置を介して通信する通信手段と、
同通信手段により前記他の電子装置から直接または中継装置を介してそれぞれ受信したデータのエラーを検出する検出手段と、
同検出手段により検出した結果に応じて、前記直接または中継装置を介してそれぞれ受信したデータから採用するデータを選択する選択手段と
を備えたことを特徴とする無線ネットワークに接続可能な電子装置。
【請求項２】
前記選択手段は、前記検出手段により検出したエラーの発生率に基づいて前記データの選択を行うものである請求項１記載の無線ネットワークに接続可能な電子装置。
【請求項３】
前記通信手段は、前記検出手段により検出したエラーの発生率が所定値以上となった場合に、通信中の経路とは異なる経路で通信を開始するものである請求項１または２に記載の無線ネットワークに接続可能な電子装置。
【請求項４】
前記通信手段は、前記検出手段により検出したエラーの発生率が所定値以上となった場合に、前記エラーの発生率が所定値以上となった経路からの通信を切断するものである請求項１から３のいずれかに記載の無線ネットワークに接続可能な電子装置。
【請求項５】
前記検出手段は、前記受信したデータ中のエラー発生箇所に応じた重み付けに基づいて前記エラーの発生率を算出するものである請求項１から４のいずれかの項に記載の無線ネットワークに接続可能な電子装置。
【請求項６】
前記選択手段は、前記検出手段により検出したエラーの発生箇所に基づいて前記それぞれ受信したデータ中から部分的な選択を行うものである請求項１記載の無線ネットワークに接続可能な電子装置。
【請求項７】
第１の無線ネットワークに接続され、かつ第２の無線ネットワークに接続可能な第１の電子装置と、
前記第２の無線ネットワークに接続され、かつ前記第１の無線ネットワークに接続可能で、前記第１の無線ネットワークと前記第２のネットワークとの間のデータ中継を行う第２の電子装置と、
前記第１の無線ネットワークおよび前記第２の無線ネットワークに接続可能な第３の電子装置と
を有する無線ネットワークシステムであって、
前記第３の電子装置は、前記第１の電子装置と直接または前記第２の電子装置を介して通信する通信手段と、
同通信手段により前記第１の電子装置から直接または第２の電子装置を介してそれぞれ受信したデータのエラーを検出する検出手段と、
同検出手段により検出した結果に応じて、前記第１の電子装置から直接または第２の通信装置を介してそれぞれ受信したデータから採用するデータを選択する選択手段と
を備えたことを特徴とする無線ネットワークシステム。
【請求項８】
前記選択手段は、前記検出手段により検出したエラーの発生率に基づいて前記データの選択を行うものである請求項７記載の無線ネットワークシステム。
【請求項９】
前記通信手段は、前記検出手段により検出したエラーの発生率が所定値以上となった場合
に、通信中の経路とは異なる経路で通信を開始するものである請求項７または８に記載の無線ネットワークシステム。
【請求項１０】
前記通信手段は、前記検出手段により検出したエラーの発生率が所定値以上となった場合に、前記エラーの発生率が所定値以上となった経路からの通信を切断するものである請求項７から９のいずれかの項に記載の無線ネットワークシステム。
【請求項１１】
前記検出手段は、前記受信したデータ中のエラー発生箇所に応じた重み付けに基づいて前記エラーの発生率を算出するものである請求項７から１０のいずれかの項に記載の無線ネットワークネットワークシステム。
【請求項１２】
前記選択手段は、前記検出手段により検出したエラーの発生箇所に基づいて前記それぞれ受信したデータ中から部分的な選択を行うものである請求項７記載の無線ネットワークシステム。
【請求項１３】
第１の無線ネットワークに接続され、かつ第２の無線ネットワークに接続可能な第１の電子装置と、
前記第２の無線ネットワークに接続され、かつ前記第１の無線ネットワークに接続可能で、前記第１の無線ネットワークと前記第２のネットワークとの間のデータ中継を行う第２の電子装置と、
前記第１の無線ネットワークおよび前記第２の無線ネットワークに接続され、かつ前記第１の電子装置および前記第２の電子装置から受信したデータのエラー発生率を算出する手段を有する第３の電子装置と
を有する無線ネットワークシステムであって、
前記第３の電子装置は、前記第２の電子装置からの受信したデータのエラー発生率が所定の値以上となった場合に、前記第１の電子装置へ前記第２の電子装置との通信が不可であること示す切断通知を送信する機能を有し、
前記第１の電子装置は、前記第３の電子装置から前記切断通知を受信した場合、前記第２の電子装置へ、前記切断通知を通知する機能を有することを特徴とする無線ネットワークシステム。
【発明の詳細な説明】
【技術分野】
【０００１】
本発明は、無線電波を使用してネットワークを構成し、データ通信、通話、印刷を行うことが可能な無線ネットワークに接続可能な電子装置および無線ネットワークシステムに関する。
【背景技術】
【０００２】
近年、無線ネットワークはさまざまな規格が標準化され、さまざまな用途を持つ装置が同じ規格の無線ネットワークに接続されるようになってきた。例えば、ブルートゥース（Ｂｌｕｅｔｏｏｔｈ（商標））は、コンピュータのみならず、プリンタ、スキャナなどのコンピュータ周辺機器や、ファクシミリ装置、オーディオ装置、コードレス電話機などの電子機器まで接続を可能とした仕様となっている。
【０００３】
無線ネットワークは、通信可能範囲が限られるので、親機と複数の子機で構成されるコードレス電話機では、歩きながら無線ネットワークの通信可能な範囲の外に出てしまった場合は、無線電波が届かなくなるので、会話途中で途切れるということになる。
【０００４】
そこで、無線ネットワークの範囲内に同じ無線ネットワークの規格に準拠したリピータを設け、リピータを中心した無線ネットワークを形成することにより、無線通信可能な無線ネットワークの範囲を拡大することが行われている。これにより、この拡大された範囲内であれば、子機から送信される音声データは、リピータで中継されるので、子機を持って移動していても会話途中で不通となることが防止できる。
【０００５】
また、例えば、特許文献１には、画像を送信する移動体通信装置の無線電波を受信する各中継局が、受信した画像データとともに電界強度のデータを送信し、基地局が各中継局からの送信される電界強度データの最も強い中継局からの画像を表示することで、クオリティの高い画像データを表示できる移動体画像伝送装置が記載されている。
【特許文献１】特開平１１−２２５３２５号公報
【発明の開示】
【発明が解決しようとする課題】
【０００６】
ところが、特許文献１の移動体画像伝送装置では、移動体通信装置から送信される無線電波の電界強度を中継局が測定し、そして測定した結果を送信して、基地局で判断をしているため、全ての中継局を管理する基地局が必要となる。従って、ブルートゥースなどの無線ネットワークでは、それぞれが単体で動作する電子装置で構成されるため、そのような基地局に相当する電子装置を設けることができないので、特許文献１の移動体通信装置をそのまま適用することは不可能である。
【０００７】
そこで、本発明は、複数の無線ネットワークを介して受信されるそれぞれのデータの状態に応じて、最良な通信が可能な無線ネットワークに接続可能な電子装置および無線ネットワークシステムを提供することを目的とする。
【課題を解決するための手段】
【０００８】
本発明は、複数の無線ネットワークに接続可能な電子装置において、前記複数の無線ネットワークに接続された他の電子装置と直接または中継装置を介して通信する通信手段と、同通信手段により前記他の電子装置から直接または中継装置を介してそれぞれ受信したデータのエラーを検出する検出手段と、同検出手段により検出した結果に応じて前記直接または中継装置を介してそれぞれ受信したデータから採用するデータを選択する選択手段
とを備えたことを主要な特徴とする。
【発明の効果】
【０００９】
以上のように、本発明の無線ネットワークに接続可能な電子装置および無線ネットワークシステムは、受信したデータのエラーを検出する検出手段と、検出手段により検出した結果に応じて直接または中継装置を介してそれぞれ受信したデータから採用するデータを選択する選択手段を備えたことにより、エラーを検出した結果によりデータが選択できるので、信頼性の高い通信が可能となる。
【００１０】
また、選択手段は、前記検出手段により検出したエラーの発生率に基づいてデータの選択を行うことにより、無線電波の電界強度が低いがエラーの発生率が低い方のデータを選択することができる。よって、信頼性が高く品質の良い通信が可能となる。
【００１１】
また、通信手段は、検出手段により検出したエラーの発生率が所定値以上となった場合に、通信中の経路とは異なる経路で通信を開始することにより、現在通信中の経路からの通信状態が悪化してから、他の経路との通信を開始するので、余分な通信動作をする必要がない。よって、消費電力の低減をはかることができる。
【００１２】
また、通信手段は、記検出手段により検出したエラーの発生率が所定値以上となった場合に、エラーの発生率が所定値以上となった経路からの通信を切断することにより、通信状態が悪化した経路からの通信を切断し、通信可能な経路からの通信のみとすることができるので、受信が不可能となった経路からの余分な受信動作をする必要がない。よって、消費電力の低減をはかることができる。
【００１３】
また、通信手段は、検出手段により受信したデータのエラー発生箇所に応じた重み付けに基づいてエラーの発生率を算出することにより、受信したデータのエラー発生状況に応じたエラー発生率とすることができる。よって、信頼性の高い通信とすることができる。
【００１４】
また、選択手段は、検出手段により検出したエラーの発生箇所に基づいてそれぞれ受信したデータ中の部分的な選択を行うことにより、受信したデータのエラーがない箇所のデータを選択するので、品質の良い通信が可能となる。
【００１５】
また、第１の無線ネットワークに接続され、かつ第２の無線ネットワークに接続可能な第１の電子装置と、第２の無線ネットワークに接続され、かつ第１の無線ネットワークに接続可能で、第１の無線ネットワークと前記第２の無線ネットワークとの間のデータ中継を行う第２の電子装置と、第１の無線ネットワークおよび第２の無線ネットワークに接続され、かつ第１の電子装置および第２の電子装置から受信したデータのエラー発生率を算出する手段を有する第３の電子装置とを有する無線ネットワークシステムであって、第３の電子装置は、第２の電子装置からの受信したデータのエラー発生率が所定の値以上となった場合に、第１の電子装置へ第２の電子装置との通信が不可であること示す切断通知を送信する機能を有し、第１の電子装置は、第３の電子装置から切断通知を受信した場合、第２の電子装置へ、切断通知を通知する機能を有することにより、第２の電子装置は、第３の電子装置が通信を切断して不通となったことを、第１の電子装置を経由して切断通知として受信することができるので、信頼性の高い無線ネットワークシステムとすることができる。
【発明を実施するための最良の形態】
【００１６】
本発明は、複数の無線ネットワークから送信されるデータのそれぞれの受信状態に応じて、最適な状態で通信が可能な電子装置および無線ネットワークシステムを提供するという目的を、受信データのエラーを検出する検出手段と、検出手段の検出した結果に応じて
受信データから採用するデータを選択する選択手段とを備えたことにより実現した。
【００１７】
第１の発明は、複数の無線ネットワークに接続可能な電子装置において、複数の無線ネットワークに接続された他の電子装置と直接または中継装置を介して通信する通信手段と、通信手段により他の電子装置から直接または中継装置を介してそれぞれ受信したデータのエラーを検出する検出手段と、検出手段により検出した結果に応じて、直接または中継装置を介してそれぞれ受信したデータから採用するデータを選択する選択手段とを備えたものであり、検出手段により検出したエラーの結果に基づいて、選択手段が、他の電子装置と直接または中継装置を介して受信したデータのエラーの少ない方を選択するので、信頼性の高い通信が可能となる。
【００１８】
第２の発明は、選択手段は、検出手段により検出したエラーの発生率に基づいてデータの選択を行うものであり、検出手段により検出したエラーの発生率に基づいて、選択手段が、他の電子装置と直接または中継装置を介して受信したデータのエラー発生率の低い方を選択するので、無線電波の電界強度が低いがエラー発生率が低い方の無線ネットワークから受信したデータを選択することができる。従って、信頼性が高く品質の良い通信が可能となる。
【００１９】
第３の発明は、通信手段は、検出手段により検出したエラーの発生率が所定値以上となった場合に、通信中の経路とは異なる経路で通信を開始するものであり、現在接続中の経路からの通信状態が悪化すると、検出手段がエラー発生率が所定値以上となるエラーを検出することで、通信手段が他の経路との通信を開始することができるので、余分な通信動作をする必要がない。従って、消費電力の低減をはかることができる。
【００２０】
第４の発明は、通信手段は、検出手段により検出したエラーの発生率が所定値以上となった場合に、エラーの発生率が所定値以上となった経路からの通信を切断するものであり、通信状態が悪化し、検出手段がエラー発生率が所定値以上となるエラーを検出すると、通信手段が、現在通信中の経路を切断し、通信可能な経路からの通信のみとすることができるので、受信が不可能となった経路からの余分な受信動作をする必要がない。従って、消費電力の低減をはかることができる。
【００２１】
第５の発明は、検出手段は、受信したデータ中のエラー発生箇所に応じた重み付けに基づいてエラーの発生率を算出するものであり、検出手段は、受信したデータ中のエラー発生箇所に応じた重み付けでエラー発生率を算出することで、受信したデータのエラー発生状況に応じたエラー発生率とすることができる。従って、信頼性の高い通信とすることができる。
【００２２】
第６の発明は、選択手段は、検出手段により検出したエラーの発生箇所に基づいてそれぞれ受信したデータ中から部分的な選択を行うものであり、検出手段のエラーの発生箇所の検出結果に基づいてそれぞれの受信したデータの中から部分的にエラーの発生していない箇所を、選択手段によって選択することができる。従って、品質の良い通信が可能となる。
【００２３】
第７の発明は、第１の無線ネットワークに接続され、かつ第２の無線ネットワークに接続可能な第１の電子装置と、第２の無線ネットワークに接続され、かつ第１の無線ネットワークに接続可能で、第１の無線ネットワークと前記第２の無線ネットワークとの間のデータ中継を行う第２の電子装置と、第１の無線ネットワークおよび第２の無線ネットワークに接続可能な第３の電子装置とを有する無線ネットワークシステムであって、第３の電子装置は、第１の電子装置と直接または前記第２の電子装置を介して通信する通信手段と、通信手段により第１の電子装置から直接または第２の電子装置を介してそれぞれ受信し
たデータのエラーを検出する検出手段と、検出手段により検出した結果に応じて、直接または第２の通信装置を介してそれぞれ受信したデータから採用するデータを選択する選択手段とを備えたものであり、検出手段により検出したエラーの結果に基づいて、選択手段が他の電子装置と直接または中継装置を介して受信したデータのエラーの少ない方を選択するので、信頼性の高い通信が可能となる。
【００２４】
第８の発明は、選択手段は、検出手段により検出したエラーの発生率に基づいてデータの選択を行うものであり、検出手段により検出したエラーの発生率に基づいて、選択手段が他の電子装置と直接または中継装置を介して受信したデータのエラー発生率の低い方を選択するので、無線電波の電界強度が低いがエラー発生率が低い方の無線ネットワークから受信したデータを選択することができる。従って、信頼性が高く品質の良い通信が可能となる。
【００２５】
第９の発明は、通信手段は、検出手段により検出したエラーの発生率が所定値以上となった場合に、通信中の経路とは異なる経路で通信を開始するものであり、現在接続中の経路からの通信状態が悪化すると、検出手段がエラー発生率が所定値以上となるエラーを検出することで、通信手段が、他の経路との通信を開始することができるので、余分な通信動作をする必要がない。従って、消費電力の低減をはかることができる。
【００２６】
第１０の発明は、通信手段は、検出手段により検出したエラーの発生率が所定値以上となった場合に、エラーの発生率が所定値以上となった経路からの通信を切断するものであり、通信状態が悪化し、検出手段がエラー発生率が所定値以上となるエラーを検出すると、通信手段が、現在通信中の経路を切断し、通信可能な経路からの通信のみとすることができるので、受信が不可能となった経路からの余分な受信動作をする必要がない。従って、消費電力の低減をはかることができる。
【００２７】
第１１の発明は、検出手段は、受信したデータ中のエラー発生箇所に応じた重み付けに基づいて前記エラーの発生率を算出するものであり、検出手段は、受信したデータ中のエラー発生箇所に応じた重み付けでエラー発生率を算出することで、受信したデータのエラー発生状況に応じたエラー発生率とすることができる。従って、信頼性の高い通信とすることができる。
【００２８】
第１２の発明は、選択手段は、検出手段により検出したエラーの発生箇所に基づいてそれぞれ受信したデータ中から部分的な選択を行うものであり、検出手段のエラーの発生箇所の検出結果に基づいてそれぞれの受信したデータの中から部分的にエラーの発生していない箇所を選択手段によって選択することができる。従って、品質の良い通信が可能となる。
【００２９】
第１３の発明は、第１の無線ネットワークに接続され、かつ第２の無線ネットワークに接続可能な第１の電子装置と、第２の無線ネットワークに接続され、かつ第１の無線ネットワークに接続可能で、第１の無線ネットワークと第２の無線ネットワークとの間のデータ中継を行う第２の電子装置と、第１の無線ネットワークおよび第２の無線ネットワークに接続され、かつ第１の電子装置および第２の電子装置から受信したデータのエラー発生率を算出する手段を有する第３の電子装置とを有する無線ネットワークシステムであって、第３の電子装置は、第２の電子装置からの受信したデータのエラー発生率が所定の値以上となった場合に、第１の電子装置へ第２の電子装置との通信が不可であること示す切断通知を送信する機能を有し、第１の電子装置は、第３の電子装置から切断通知を受信した場合、第２の電子装置へ、切断通知を通知する機能を有することを特徴としたものである。従って、第２の電子装置は、第３の電子装置との通信状態が悪化し、第３の電子装置が通信を切断して不通となったことを、第１の電子装置を経由して切断通知として受信する
ことができるので、信頼性の高い無線ネットワークシステムとすることができる。
【００３０】
（実施の形態１）
本発明の実施の形態１に係る無線ネットワークに接続可能な電子装置および無線ネットワークシステムの構成について、図１および図２に基づいて説明する。
【００３１】
図１は、本発明の実施の形態１に係る無線ネットワークシステムの構成を示す図である。図２は、本発明の実施の形態１に係る無線ネットワークに接続可能な電子装置の一例であるコードレス電話機の子機の構成図である。図１に示す例では、無線ネットワークシステム１の中で複数の無線ネットワーク（２，４）が形成されている。
【００３２】
すなわち、第１の通信装置である親機３を中心に第１の無線ネットワーク２が形成されている。第１の無線ネットワーク２では、その他の電子機器として、ＰＤＡ（Personal Digital Assistant）７や、通信機能を有するデジタルカメラ８や、親機３の子機９などが通信を行っている。
【００３３】
また、第２の通信装置であり且つ中継装置でもあるリピータ５と、このリピータ５と通信する第３の通信装置であるコードレス電話機の子機６によって第２の無線ネットワーク４が形成されている。第２の無線ネットワーク４では、子機６以外に、子機１０も通信を行っている。
【００３４】
親機３は１ｍＷから１００ｍＷの送信電力により、直径１０ｍ程度の第１の無線ネットワーク２に接続した電子装置と通信することができる。図１の例では、親機３は子機９，ＰＤＡ７，デジタルカメラ８との間で通信をしており、親機３とこれら電子装置はブルートゥースの規格に準拠した手順で通信を行っている。さらに親機３はリピータ５とも同じブルートゥースの規格によって通信を行っている。もし子機６が移動して親機３と通信可能な範囲に入った場合は、この子機６も第１の無線ネットワーク２に加わって親機３との間で通信を開始する。
【００３５】
また親機３は、無線ネットワークで各電子装置と接続するとともに公衆回線網１１に接続されている。さらに親機３はリピータ５とも同じブルートゥースの規格によって通信を行っている。
【００３６】
このリピータ５も同様に１ｍＷから１００ｍＷの送信電力によって、直径１０ｍ程度の第２の無線ネットワーク４に接続した電子装置と通信することができる。図1に示す例では、リピータ５は、親機３の通信範囲である第１の無線ネットワーク２内に設置され、第１の無線ネットワーク２の外にある子機６，１０と親機３との通信を中継する。従って、子機６は、リピータ５の第２の無線ネットワーク４内であれば、リピータ５経由で親機３と通話が可能となる。
【００３７】
次に、コードレス電話機の子機６の構成について図２に基づいて説明する。図２において、子機６は、アンテナ１５から受信した無線電波の復調や、アンテナ１５へ送信する無線電波の変調をする無線部１６により無線ネットワークに接続した電子装置と通信を行う。無線部１６は、ＩＳＭ（Industry Science Medical）バンドとよばれる、２．４０２GHｚから２．４８０ＭＨｚまでの周波数帯域を使用して２値周波数変調方式（Binary Frequency Shift Keying）で変調、復調する。また無線部１６は、受信したブルートゥースに準拠したパケットを同期相関器１７へ出力する。
【００３８】
同期相関器１７は、受信したパケットの先頭部分であるアクセスコードにより、子機６が接続する無線ネットワーク内のパケットであるか否かを判断する。また同期相関器１７
は、アクセスコードにより受信したパケットが子機６が接続する無線ネットワークのパケットであると判定すると、パケットをパケット解析部１８へ出力し、パケットの中間部であるパケットヘッダを受信パケット解析部１８により解析する。また、同期相関器１７は、アクセスコード内に含まれるプリアンブル、シンクワードまたはトレーラなどで発生した同期エラーをチェックし、エラー発生時には、エラー計数処理部１９へ通知する。
【００３９】
受信パケット解析部１８は、無線ネットワーク内の電子装置との同期確立に使用される共通パケットや、音声データの同期通信に使用されるＳＣＯパケットや、データの送受信の非同期通信に使用されるＡＣＬパケットなどを解析する。受信パケット解析部１８によりＳＣＯパケットで音声データの受信であると判断されると、ＳＣＯパケットは音声パケット処理部２０へ出力される。また、受信パケット解析部１８によりＡＣＬパケットと判定されればデータパケット処理部２１へ出力される。
【００４０】
また、受信パケット解析部１８によりパケットヘッダに含まれる８ビットの誤り検出符号（ＣＲＣ）をチェックし、エラー発生時にはエラー計数処理部１９へ通知する。
【００４１】
データパケット処理部２１は、ＡＣＬパケットの最終部であるペイロード内に格納されているデータを分離してデータバッファ２２に格納する。また、データパケット処理部２１は、ペイロードに含まれる１６ビットのＣＲＣをチェックし、エラー発生時には、エラー計数処理部１９へ通知するとともに、所定の値以上のエラーが発生した場合は、そのパケットを破棄する。
【００４２】
通信制御部２３は、子機６の通信手順の制御を行う通信手段であり、同期相関器１７、受信パケット解析部１８、音声パケット２０と、データパケット処理部２１と、送信パケット作成部３１を制御することで、無線ネットワークを介して接続された電子装置との送受信の制御を行う。前述のデータバッファ２２に格納された受信データは、通信制御部２３に読み出されて解析され、そのパケットに対する応答処理が行われる。
【００４３】
また、通信制御部２３は、データバッファ２２に格納されたパケットの内容に応じて各種の通信制御および送信電力の制御などを行う。前述のデータバッファ２２に格納された受信データは通信制御部２３に読み出されて解析され、そのパケットに対する応答処理が行われる。
【００４４】
音声パケット処理部２０は、ＳＣＯパケットの最終部である音声データが格納されているペイロード内に格納されている音声データを分離していスピーチバッファ２４に格納する。また、音声パケット処理部２０は、ペイロードに含まれる１６ビットのＣＲＣをチェックし、エラー発生時には、エラー計数処理部１９へ通知するとともに、音声パケット処理部２０内に設定される閾値以上のエラー発生回数があった場合は、そのパケットを破棄する。
【００４５】
スピーチバッファ２４には少なくとも２つのスピーチバッファが設けられている。子機６が第２の無線ネットワーク４と第１の無線ネットワーク２の両方と通話可能な位置にいる場合には、第１の無線ネットワーク２の親機３から送信される音声データを一方のスピーチバッファに、第２の無線ネットワーク４のリピータ５から送信される音声データを他方のスピーチバッファにそれぞれ分けて格納することができる。
【００４６】
スピーチバッファ２４の２つのバッフアに個別に格納された第１の無線ネットワーク２の親機３からの音声データと第２の無線ネットワーク４のリピータ５からの音声データは、音声データ選択部２５へ出力される。選択手段である音声データ選択部２５は、それぞれのスピーチバッファ２４から出力された音声データを選択してスピーチデコーダ２６へ
出力される。
【００４７】
エラー計数処理部１９は、同期相関器１７、受信パケット解析部１８、音声パケット処理部２０およびデータパケット処理部２１からエラーを検出した旨の通知があると、パケットのどの箇所でエラーが発生したかを記憶する。つまり、同期相関器１７で検出したエラーは、アクセスコードのエラーであり、受信パケット解析部１８で検出したエラーは、パケットヘッダのエラーであり、音声パケット処理部２０またはデータパケット処理部２１で検出したエラーは、ペイロードのエラーであることを示す。
【００４８】
また、エラー計数処理部１９は、同期相関器１７、受信パケット解析部１８、音声パケット処理部２０およびデータパケット処理部２１からエラーを検出した旨の通知があると、それぞれのエラー発生が何回発生したかをカウントし、予めそれぞれの発生箇所に応じた重み付けを基にエラーの発生率を計数する。
【００４９】
エラー計数処理部１９の結果に基づいて、エラー比較処理部２８が、ローミング起動設定部２９の設定内容と、通信切断設定部３０の内容と比較することで判定する。
【００５０】
ローミング起動設定部２９は、現在受信中の無線ネットワークの受信状態のエラー発生率が高くなり、他の無線ネットワークとの新たな経路へ接続処理を開始するか否かの閾値を格納している。
【００５１】
通信切断設定部３０は、２つの無線ネットワークからの受信状態のエラー発生率が継続して受信できるか否かの閾値を格納している。
【００５２】
エラー比較処理部２８は、受信中の無線ネットワークに接続した電子装置の受信状態を示すエラー計数処理部１９からのエラー発生率が、ローミング起動設定部２９の閾値以上となった場合に、通信制御部２３に対し、異なる受信可能な無線ネットワークに接続した電子装置と接続するよう通知する。
【００５３】
また、エラー比較処理部２８は、２つの無線ネットワークに接続した電子装置の受信状態のエラー発生率をそれぞれ出力するエラー計数処理部１９からの結果が、通信切断設定部３０の閾値以上となった場合に、通知制御部２３に対し、受信状態が不可能な無線ネットワークに接続した電子装置との接続を切断するよう通知する。
【００５４】
同期相関器１７と、受信パケット解析部１８と、音声パケット処理部２０と、データパケット処理部２１と、エラー計数処理部１９とエラー比較処理部２８と、ローミング起動設定部２９と、通信切断設定部３９とにより検出手段を構成している。
【００５５】
音声データ選択部２５は、エラー比較処理部２８からの通知により、エラー発生率の低い音声データを格納したスピーチバッファ２４に格納された音声データをスピーチデコーダ２６へ出力する。スピーチデコーダ２６は音声データをアナログ信号に変換し、スピーカ２７から音声として出力する。
【００５６】
送信パケット作成部３１は、マイク３２から入力された音声をスピーチエンコーダ３３を介してデジタルへ変換された音声データを格納したスピーチバッファ３５の出力に基づいてパケットを作成し、無線部１６へ出力する。
【００５７】
また、同期確立のパケットの送出や、各種情報の通知する場合には、通信制御部２３が作成したデータをデータバッファ３４に格納され、送信パケット作成部３１によりパケットとして無線部１６から送信される。
【００５８】
これらの、受信パケット解析部１８、音声パケット処理部２０、データパケット処理部２１、送信パケット作成部３１、通信制御部２３、エラー比較処理部２８、音声データ選択部２５、エラー計数処理部１９などは、ゲートアレイや、ＭＰＵ（Micro Processing Unit）、制御プログラムを格納したＲＯＭ（Read Only Memory）、プログラムが読み書きに使用するＲＡＭ（Random Access Memory）により構成することが可能である。
【００５９】
また、スピーチバッファ２４，３５や、データバッファ２２，３４は、書き換え可能な、ＳＲＡＭ（Static Random Access Memory）や、ＤＲＡＭ（Dynamic Random Access Memory）などが使用できる。また、ローミング起動設定部２９や通信切断設定部３０は、ＲＯＭ（Read Only Memory）に格納してもよいし、書き換え可能とするためにフラッシュメモリ、Ｅ2ＰＲＯＭ（Electrically Erasable Programmable Read-Only Memory）やバッテリバックアップメモリなどの不揮発メモリに格納することが可能である。
【００６０】
このように、本発明の実施の形態１に係る無線ネットワークに接続可能な電子装置である子機６は構成されている。なお、図２においては、電話をかける際に電話番号を入力する数字キーなどで構成される入力部や、入力した電話番号などを表示する液晶パネルなどで構成される表示部は便宜上省略した。
【００６１】
ここで、同期相関器１７、受信パケット解析部１８、音声パケット処理部２０、データパケット処理部２１において、エラー検出する内容と、エラー発生率の計算方法について図２および図３に基づいて説明する。
【００６２】
図３は、本発明の実施の形態１に係る無線ネットワークに接続可能な電子装置のエラー検出について説明する図である。図３に示すように、パケット５５は、ブルートゥースの仕様に準拠したフォーマットである。パケット５５は、先頭部であるアクセスコード５６と、中間部であるパケットヘッダ５７と、最終部であるペイロード５８の３つのパートから構成されている。
【００６３】
アクセスコード５６は、その先頭部にバイナリで１と０が４ビット繰り返し配置されたプリアンブル５９と、６４ビットのブルートゥースアドレスを格納するシンクワード６０と、プリアンブル５９と同様にバイナリで１と０が４ビット繰り返し配置されたトレーラ６１から構成される。
【００６４】
同期相関器１７は、このアクセスコード５６が正しいビット列とならない時に、エラーとしてエラー計数処理部１９へ通知する。
【００６５】
パケットヘッダ５７は、通信を管理するために必要なパラメータを１０ビットと、８ビットのＣＲＣとを有している。受信パケット解析部１８は、パケットヘッダ５７のＣＲＣをチェックして、異常が検出された場合に、エラー計数処理部１９へ通知する。
【００６６】
ペイロード５８は、８ビットか１６ビットのペイロードヘッダと、可変長であるペイロードボディと、１６ビットのＣＲＣ、または６０ビットのパリティから構成される。
【００６７】
音声パケット処理部２０とデータパケット処理部２１は、ＣＲＣ、またはパリティをチェックして、異常が検出された場合に、エラー計数処理部１９へ通知する。
【００６８】
また、ペイロード５８に格納されるデータが音声データの場合は、音声データ４ビットごとに１ビットのパリティが付加されたデータ列が形成されてペイロードに格納されている。データパケット処理部２１は、ペイロードに格納された音声データに所定の値以上の
エラーがに含まれている場合（YES）にはペイロードパケットエラーとし、所定の値未満の場合（NO）はペイロードエラーとするよう、エラー計数処理部１９へ通知する。なお、前記所定の値は音声パケット処理部２０内に設定されている。
【００６９】
エラー計数処理部１９では、エラー発生回数にエラー発生箇所に応じた重み付けを用いてエラー発生率を計数する。例えば、同期相関器１７で検出した同期エラー（Sync-Error：ＳERR）を「３」とし、受信パケット解析部１８で検出したパケットヘッダエラー（Header-Error：ＨERR）を「２」とし、音声パケット処理部２０およびデータパケット処理部２１に検出したペイロードエラー（Payload-Error：ＰERR）を「１」とし、ペイロードパケットエラー（Payload Packet-Error：ＰＰERR）を「３」とした重み付けとする。
【００７０】
それぞれのパケットは、エラー計数処理部１９にて、各重み付けを各エラー発生回数と乗算した合計を、エラー計数処理部１９で計数された受信パケット数で除算してエラー発生率とする。以下にその計算式の例を示す。
【００７１】
エラー発生率＝（ＳERR×３＋ＨERR×２＋ＰERR×１＋ＰＰERR×３）／Ｎ
但し、Ｎは、受信パケット数
このようにして、エラーの発生箇所の重要性に応じて重み付けを行うことで、重要なパケット部分が損失するような通信が発生した場合は、迅速に他の無線ネットワークに接続した電子装置との接続を試みたり、エラーが発生した無線ネットワークに接続した電子装置との接続を切断して使用しないようにしたりするなどの動作を行うことができる。
【００７２】
また、この重み付けは一例であり、全て同じ数値とすることで、エラーの発生箇所に関わらず同じ重みとすることも可能である。
【００７３】
次に、本発明の実施の形態１に係る電子装置の動作について、図１から図５に基づいて説明する。図４および図５は、本発明の実施の形態１に係る無線ネットワークに接続可能な電子装置の動作を説明する図である。
【００７４】
図４は、親機３がリピータ５を介して子機６とすでに接続状態であり、音声データの通信を行って状態を示している。つまり、子機６から話す場合には、マイク３２から入力した音声を、スピーチエンコーダ３４にてデジタル化してスピーチバッファ３５に格納し、送信パケット作成部３１により音声データを乗せるためのＳＣＯパケットとして無線部１６を介してリピータ５へ送信される。
【００７５】
リピータ５は、受信したＳＣＯパケットを親機３へ中継する。親機３は図１に示す公衆回線網１１へ受信したＳＣＯパケットの音声データを送信して話相手と通話することができる。
【００７６】
話し相手からの通話は、親機３からＳＣＯパケットとしてリピータ５へ送信され、リピータ５が中継して子機６へ送信される。子機６は、アンテナ１５を経由して無線部１６にて受信する。受信したＳＣＯパケットの内容から同期相関器１７にて、子機６宛であることを判定し、受信パケット解析部１８によりＳＣＯパケットと判定され、音声パケット処理部２０へ出力される。同期相関器１７、受信パケット解析部１８および音声パケット処理部２０にて、パケットのそれぞれアクセスコード、パケットヘッダおよびペイロードの各部がエラーチェックされる。
【００７７】
そして音声データは、スピーチバッファ２４へ格納され音声データ選択部２５を経由してスピーチデコーダ２６へ出力され、アナログに変換されてスピーカ２７で音声となる。このようにして親機３と子機６はリピータ５を介して通話を行っている（Ｓ１０）。
【００７８】
しかし、子機６は通話しながら移動が容易であるため、リピータ５を中心に形成された第２の無線ネットワーク４の範囲から外れ、第１の無線ネットワーク２の範囲内へ行くことがある。子機６が移動してリピータ５からは離れると、リピータ５と子機６との間ではリンクがはられた状態ではあるが、受信信号レベルが弱まるので図４に示すようにＳＣＯパケットは不達となることがある（Ｓ２０）。ただし、ＳＣＯパケットが1つ不達になっただけではリンクが切れることはなく、この段階では親機３とリピータ５との間では、ＳＣＯパケットによるリンクがはられた状態なので通信は可能である。
【００７９】
親機３からは、定期的に接続可能な装置が第１の無線ネットワーク２に存在するか否かの問い合わせパケットであるInquiryパケット（ＩＱパケット）が送信されているが、子機６はリピータ５とリンクがはられた状態である限り、親機３からのInquiryパケットは無視をしている（Ｓ３０）。子機６は、第２の無線ネットワーク４の境界線ギリギリである場合には、たまにＳＣＯパケットがリピータ５との間で疎通することもある（Ｓ４０）。
【００８０】
しかし、子機６とリピータ５とは無線通信可能な範囲を段々離れてくると、同期エラー、パケットヘッダエラー、ペイロードエラーまたはペイロードパケットエラーが度重なる（Ｓ５０）。
【００８１】
子機６のエラー計数処理部１９は、エラー発生率を算出するが、その際に、各エラー発生回数を発生箇所によって重み付けを行い算出して出力する。そのエラー発生率がローミング起動設定部２９の閾値を超えたことをエラー比較処理部２８が判定すると、第１の無線ネットワーク２に接続している親機３からのInquiryパケットを受信し応答して接続するようエラー比較処理部２８が通信制御部２３へ通知する（Ｓ６０）。
【００８２】
それに応じて通信制御部２３は、親機３からのInquiryパケットに応答してInquiry＃rspパケットを送信する（Ｓ７０）。以降、ブルートゥースの規格に準拠した手順に従って問い合わせ処理を行い（Ｓ８０）、接続処理を行う（Ｓ９０）。
【００８３】
このように、子機６がこのようにして移動しながら通話をするとき、第１の無線ネットワーク２と第２の無線ネットワーク４の両方と接続可能な場所であれば、一方の接続状態が悪化した場合に、同時に２本の無線ネットワークと接続をすることができ、何れかの経路でＳＣＯパケットが届いて通話を維持する事ができる。Ｓ１００は、子機６とリピータ５が接続している状態を示し、Ｓ１１０は、子機６と親機３とが接続している状態を示す。
【００８４】
図５に示すように、子機６の移動が、第２の無線ネットワーク２の範囲から外れて第１の無線ネットワーク４の範囲内にいる時は、リピータ５から子機６宛のＳＣＯパケットは不達となるが、親機３からのＳＣＯパケットは子機６へ到達できるので通話可能である。
【００８５】
このように、子機６が移動することにより子機６とリピータ５との間で距離が離れ、リピータ５からの子機６へ送られるＳＣＯパケットに同期エラー、パケットヘッダエラー、ペイロードエラーまたはペイロードパケットエラーが発生する（Ｓ１２０）。
【００８６】
リピータ５からのＳＣＯパケットの音声データは、エラーが発生しながらも受信できたものは、スピーチバッファ２４へ格納され、親機３のＳＣＯパケットの音声データもスピーチバッファ２４に格納され音声データ選択部２５へ出力される。
【００８７】
エラー計数処理部１９は、それぞれのスピーチバッファ２４に格納されたＳＣＯパケッ
トのエラー発生率をエラー比較処理部２８へ通知する。その結果、スピーチバッファ２４に格納されたエラー発生率の低い方の音声データを判定する。音声データ選択部２５は、エラー比較処理部２８からの通知により、エラー発生率の低い音声データを格納したスピーチバッファ２４の出力を選択して出力する。この場合は、第１の無線ネットワーク２に接続した親機３からのＳＣＯパケットのエラー発生率が低いため、親機３のＳＣＯパケットの音声データが選択されスピーチデコーダ２６へ出力される（Ｓ１３０）。
【００８８】
リピータ５からのＳＣＯパケットにエラーが多発し、エラー計数処理部１９から出力されるエラー発生率が通信切断設定部３０に設定される閾値以上となったことをエラー計数処理部１９により判定された場合、エラー計数処理部１９は、リピータ５との接続リンクを切断し親機３との接続リンクのみとするよう通信制御部２３へ通知する。
【００８９】
通信制御部２３はリピータ５へ接続リンク切断通知を行うとともに、親機３へもリピータ５との接続リンク切断通知を行う（Ｓ１５０，Ｓ１６０）。この場合、リピータ５への接続リンク切断通知は不達となり（Ｓ１５０）、親機３へは接続リンク切断通知が届く。子機からの接続リンク切断通知に従って、親機３の通信制御部２３はリピータ５に対し、子機６からの接続リンク切断通知があったことを通知する（Ｓ１７０）。
【００９０】
このようにリピータ５は、子機６との通信が不可能となったことを、親機３を経由して通知されるので、リピータ５は、通信不可となった子機６とのリンクを切断する処理などをすることができる。従って、信頼性の高い無線ネットワークとすることができる。
【００９１】
以降、子機６は親機６のみとＳＣＯパケットを送受信し（Ｓ１８０）、親機６を中心とした第１の無線ネットワーク２の範囲内で通信を行うことができる。
【００９２】
次に、子機６の各種のエラー検出時の動作を図１から図３と、図６に基づいて詳細に説明する。図６は、本発明の実施の形態１に係るネットワークに接続可能な電子装置の一例であるコードレス電話機の子機のエラー検出時の動作を説明する図である。
【００９３】
まず、子機６が、第１の無線ネットワーク２と第２の無線ネットワーク４のそれぞれの境界付近を移動中である場合、前述したように第１の無線ネットワーク２の親機３と、第２の無線ネットワーク４のリピータ５の両方から受信を行う。
【００９４】
図６に示すように、Ｓ２００にて子機６がリピータ５からのパケットを受信すると、同期相関器１７でパケットのアクセスコード５６をチェックし同期エラーの検出を行い、同期エラーが検出されなかった場合、Ｓ２１０へ移行する。
【００９５】
Ｓ２１０にて同期相関器１７により親機３のパケットのアクセスコード５６をチェックして同期エラーの検出を行い、同期エラーが検出されない場合、Ｓ２２０へ移行する。
【００９６】
Ｓ２２０にて、音声パケット処理部２０にてリピータ５および親機３から受信したパケットのペイロード５８をチェックしペイロードエラーを検出するとエラー計数処理部１９へ通知し、リピータ５および親機３のエラー発生率を算出する。そしてエラー計数処理部１９からエラー発生率がエラー比較処理部２８へ通知されると、親機３とリピータ５のエラー発生率を比較する。
【００９７】
リピータ５が親機３よりエラー発生率が等しいか低い場合は、Ｓ２３０にてエラー比較処理部２８は、リピータ５のパケットの音声データを使用するよう音声データ選択部２５へ通知する。
【００９８】
リピータ５が親機３よりエラー発生率が高い場合には、Ｓ２４０にて親機３のパケットの音声データを使用するよう音声データ選択部２５へ通知する。
【００９９】
Ｓ２１０にて親機３のパケットのアクセスコード５６に同期エラーが検出された場合、Ｓ２５０にて音声パケット処理部２０によりリピータ５のパケットのペイロードエラーのエラー発生回数が音声パケット処理部２０内に設定される閾値以上か否かが判定される。
【０１００】
リピータ５のパケットのエラー発生回数が閾値未満であった場合、Ｓ２６０にて音声パケット処理部２０により、リピータ５のパケットの音声データが格納されているスピーチバッファ２４が選択され使用される。
【０１０１】
リピータ５の音声パケットのエラー発生回数が閾値以上であった場合、Ｓ２７０にて音声パケット処理部２０によりリピータ５のパケットが破棄され、リピータ５および親機３の音声パケットの両方は使用されない。
【０１０２】
Ｓ２００にて、同期相関器１７によりリピータ５のアクセスコード５６で同期エラーが検出された場合、Ｓ２８０にて同期相関器１７により親機３のパケットのアクセスコード５６をチェックして同期エラーの検出を行う。その結果、同期エラーが検出された場合、Ｓ２９０へ移行する。
【０１０３】
Ｓ２９０にて、リピータ５と親機３のパケットにおいて同期エラーが両方とも発生しているので、リピータ５および親機３のパケットは使用されずに破棄される。
【０１０４】
Ｓ２８０にて親機３の音声パケットのアクセスコードに同期エラーが発生していない場合、Ｓ３００にて音声パケット処理部２０により親機５のパケットのペイロードエラーの検出を行い、エラー発生回数が音声パケット処理部２０内に設定される閾値以上か否かが判定される。
【０１０５】
親機３のパケットのエラー発生回数が閾値未満であった場合、Ｓ３１０にて音声パケット処理部２０により、親機３のパケットの音声データがスピーチバッファ２４に格納され、エラー計数処理部１９を経由してエラー比較処理部２８が親機３の音声データを使用するよう音声データ選択部２５へ通知を行う。
【０１０６】
Ｓ３００にて親機３のパケットのエラー発生回数が閾値以上であった場合、Ｓ２９０にて音声パケット処理部２０により親機３のパケットが破棄され、リピータ５および親機３のパケットの両方は使用されない。
【０１０７】
このようにして、第２の無線ネットワーク４から第１の無線ネットワーク２へ子機６が移動する場合において、通話状態が段々劣化し受信データにエラーが多発しても、第１の無線ネットワーク２の親機３からの通信を受信しエラー発生率の低い音声データを使用することで、通話品質が高く、信頼性が高い無線ネットワークシステムとすることができる。
【０１０８】
（実施の形態２）
本発明の実施の形態２に係る無線ネットワークに接続可能な電子装置および無線ネットワークシステムを図７および図８に基づいて説明する。
【０１０９】
図７は、本発明の実施の形態２に係る無線ネットワークシステムの一例を示す構成図である。図８は、本発明の実施の形態２に係る無線ネットワークに接続可能な電子装置の一例であるコードレス電話機の親機の構成を説明する図である。
【０１１０】
実施の形態２の無線ネットワーク接続装置は、親機に２つの無線ネットワークからの音声データであるＳＣＯパケットを両方から受信し、エラー発生率の低い方の音声データを使用するようにした。
【０１１１】
図７に示すように第２の無線ネットワークを形成するリピータ５と子機６、ＰＤＡ７と、デジタルカメラ８と、子機９とは、図１と同様であるので、同符号を付して説明は省略する。なお、子機６は第１の無線ネットワーク２と第２の無線ネットワーク４と両方に接続可能な位置にいるものとする。
【０１１２】
図８に示すように、アンテナ１５、無線部１６、同期相関器１７、受信パケット解析部１８、エラー計数処理部１９、音声パケット処理部２０、データパケット処理部２１、通信制御部２３、送信パケット作成部３１、スピーチバッファ２４，３５、データバッファ２２，３４、音声データ選択部２５、ローミング起動設定部２９、通信切断設定部３０は実施の形態１の図２と同じ機能を有しているので、同符号を付して説明は省略する。
【０１１３】
実施の形態１の子機６と異なる点は、コードレス電話機の親機４２は、図７に示すように、公衆回線網１１に接続しており、デジタルの音声データをアナログに変換するスピーチデコーダ２６からの出力を公衆回線網１１へ送信し、公衆回線網１１から受信したアナログの音声データをデジタルに変換するためにスピーチエンコーダ３３へ出力する回線制御部４２を備えている。
【０１１４】
また、子機６から受信した音声データを格納するスピーチバッファ２４と、子機へ送信する音声データを格納するスピーチバッファ３５とを、それぞれ６つ備えている。スピーチバッファ２４は、子機６およびリピータ５からの受信データである音声データを格納するためは、２つのスピーチバッファを使用するので、同時に３台の子機の通信を制御することが可能である。
【０１１５】
親機４２は、子機６からの受信用に６つのスピーチバッファ２４に対応して６つのスピーチデコーダ２６を備え、子機への送信用に６つのスピーチバッファ３５に対応して６つのスピーチエンコーダ３３を備えることで、通常の使用においては６台の子機と同時接続することが可能である。親機４２は、４つの受信用のデータバッファ２２と、１つの送信用のデータバッファ３４を備えている。
【０１１６】
また、これら第１の無線ネットワーク２の親機４２は、ブルートゥースの規格に準拠した手順で、通信を行っている。
【０１１７】
このように親機４２を構成することで、子機６が第１の無線ネットワーク２の範囲内から移動しながら、第２の無線ネットワーク４へ入った場合、親機４２は、当初は子機６と直接音声データの送受信を行っているが、子機６の移動に伴い、通話状態が段々劣化し受信データにエラーが多発する。このエラーの多発を契機に、子機６からの受信をしつつリピータ５からも接続を開始し、子機６からの直接の接続が不通になったことにより、リピータ５のみの接続とすることで、通話品質が高く信頼性の高い無線ネットワークシステムとすることができる。
【０１１８】
（実施の形態３）
本発明の実施の形態３に係る無線ネットワークに接続可能な電子装置および無線ネットワークシステムを図１，図２，図９に基づいて説明する。図９は、本発明の実施の形態３に係る無線ネットワークに接続可能な電子装置の一例であるコードレス電話機の子機のエラー制御において、音声データのエラーが発生していない箇所を抽出・選択して使用する
説明する図である。
【０１１９】
実施の形態３の無線ネットワークに接続可能な電子装置は、親機およびリピータからの音声データに関し、エラー発生箇所により、エラーが発生していない箇所を抽出し、選択しての音声データを使用するようにした。
【０１２０】
図２と図９に示すように、音声データは、４ビットごとに１ビットのパリティビットを有しており、この音声パケットのパリティビットを使用して音声パケット処理部２０がエラーチェックを行う。
【０１２１】
音声パケット処理部２０によりパケットのペイロードエラーの発生を検出すると、音声パケット処理部２０はエラー計数処理部１９を経由し、エラー比較処理部２８へ通知する。エラー比較処理部２８は、エラー発生箇所のない受信データである音声データを選択するよう、選択手段である音声データ選択部２５へ通知する。
【０１２２】
このように、リピータ５と親機３からの音声パケットのペイロードにおいて、エラーの発生していない音声データを使用することで、品質の良い音声通信が可能となる。
【産業上の利用可能性】
【０１２３】
複数の無線ネットワークから送信されたデータのエラー発生率を比較する比較手段と、比較した結果に基づきエラー発生率の低い方の受信データを選択する選択手段とを備えたことによって、通信装置が移動しても品質の高い通信を行うことが不可欠な用途にも適用できる。
【図面の簡単な説明】
【０１２４】
【図１】本発明の実施の形態１に係る無線ネットワークシステムの構成を示す図
【図２】本発明の実施の形態１に係る無線ネットワークに接続可能な電子装置の一例であるコードレス電話機の子機の構成図
【図３】本発明の実施の形態１に係る無線ネットワークに接続可能な電子装置のエラー検出について説明する図
【図４】本発明の実施の形態１に係る無線ネットワークに接続可能な電子装置の動作を説明する図
【図５】本発明の実施の形態１に係る無線ネットワークに接続可能な電子装置の動作を説明する図
【図６】本発明の実施の形態１に係る無線ネットワークに接続可能な電子装置の一例であるコードレス電話機の子機のエラー検出時の動作を説明する図
【図７】本発明の実施の形態２に係る無線ネットワークシステムの一例を示す構成図
【図８】本発明の実施の形態２に係る無線ネットワークに接続可能な電子装置の一例であるコードレス電話機の親機の構成を説明する図
【図９】本発明の実施の形態３に係る無線ネットワークに接続可能な電子装置の一例であるコードレス電話機の子機のエラー制御において、音声データのエラーが発生していない箇所を抽出・選択して使用する説明する図
【符号の説明】
【０１２５】
１    無線ネットワークシステム
２    第１の無線ネットワーク
３    親機（第１の通信装置）
４    第２の無線ネットワーク
５    リピータ（第２の通信装置）
６    子機（第３の通信装置）
７    ＰＤＡ
８    デジタルカメラ
９，１０    子機
１１    公衆回線網
１５    アンテナ
１６    無線部
１７    同期相関器
１８    受信パケット解析部
１９    エラー計数処理部
２０    音声パケット処理部
２１    データパケット処理部
２２，３４    データバッファ
２３    通信制御部
２４，３５    スピーチバッファ
２５    音声データ選択部（選択手段）
２６    スピーチデコーダ
２７    スピーカ
２８    エラー比較処理部（比較手段）
２９    ローミング起動設定部
３０    通信切断設定部
３１    送信パケット作成部
３２    マイク
４２    親機
４３    回線制御部
【図１】
2005167460.tif 000003
【図２】
2005167460.tif 000004
【図３】
2005167460.tif 000005
【図４】
2005167460.tif 000006
【図５】
2005167460.tif 000007
【図６】
2005167460.tif 000008
【図７】
2005167460.tif 000009
【図８】
2005167460.tif 000010
【図９】
2005167460.tif 000011